(57)【要約】【課題】マルチチャネルオーディオ信号のシリアル伝送システムにおいて、オーディオ信号のチャネル数が増えても伝送線の数が増えないようにする。また、伝送するオーディオ信号のサンプリング周波数やチャネル数が変化する時、変化点前後で伝送の中断が起こらないようにする。【解決手段】データに、オーディオデータの属性であるサンプリング周波数と伝送するチャネル数を含み、そのサンプリング周波数と伝送するチャネル数に応じて伝送するクロックを変化させる。このことにより、信号線を増加させることなくマルチチャネルオーディオ信号を伝送し、且つ、サンプリング周波数が変化される前後に無音期間を生じない伝送を実現する。【選択図】図２
2008005193.tif 000002
【特許請求の範囲】
【請求項１】
サンプリング周波数の情報に基づいてマルチチャネルのディジタルオーディオ信号を生成し、前記サンプリング周波数の情報を前記ディジタルオーディオ信号と共にシリアル伝送する伝送信号生成器と、
前記サンプリング周波数の情報及び前記ディジタルオーディオ信号を前記伝送信号生成器からシリアル受信し、前記サンプリング周波数の情報に基づいて伝送クロックの変化を検出する伝送信号受信器と
を具備する
シリアル伝送システム。
【請求項２】
請求項１に記載のシリアル伝送システムにおいて、
前記伝送信号生成器は、更に、前記ディジタルオーディオ信号と共にチャネル数の情報をシリアル伝送し、
前記伝送信号受信器は、前記チャネル数の情報及び前記ディジタルオーディオ信号を前記伝送信号生成器からシリアル受信し、前記チャネル数の情報に基づいて前記伝送クロックの変化を検出する
シリアル伝送システム。
【請求項３】
請求項２に記載のシリアル伝送システムにおいて、
前記伝送信号生成器は、前記サンプリング周波数の情報及び前記チャネル数の情報に応じて前記伝送クロックを変更する
シリアル伝送システム。
【請求項４】
請求項１乃至３のいずれか一項に記載のシリアル伝送システムにおいて、
前記伝送信号生成器は、前記サンプリング周波数の情報に基づいてロウレベル（Ｌ）とハイレベル（Ｈ）が変化するＬＲクロック信号に同期して前記ディジタルオーディオ信号をシリアル伝送する
シリアル伝送システム。
【請求項５】
請求項１乃至４のいずれか一項に記載のシリアル伝送システムにおいて、
前記伝送信号生成器は、前記ディジタルオーディオ信号の各ビットの出力時刻に同期してロウレベル（Ｌ）とハイレベル（Ｈ）が変化するシリアルクロック信号に同期して前記ディジタルオーディオ信号をシリアル伝送する
シリアル伝送システム。
【請求項６】
サンプリング周波数の整数倍の周波数のマスタクロック信号を発生するマスタクロック発生器と、
前記サンプリング周波数の情報、チャネル情報、及びオーディオデータを提供する符号バッファと、
前記サンプリング周波数の情報に基づき前記マスタクロック信号を分周してオーディオクロック信号を生成する分周器と、
前記サンプリング周波数の情報及び前記チャネル情報を取得してヘッダを発生するヘッダ情報生成器と、
前記オーディオデータ、前記ヘッダ、及び前記オーディオクロック信号を取得して、サンプリング周波数に基づきサンプリングされたディジタルオーディオ信号を含むデータ信号、前記サンプリング周波数でロウレベル（Ｌ）とハイレベル（Ｈ）が変化するＬＲクロック信号、及び、前記データ信号の各ビットの出力時刻に同期してロウレベル（Ｌ）とハイレベル（Ｈ）が変化するシリアルクロック信号を発生する伝送信号生成器と
を具備する
伝送装置。
【請求項７】
請求項６に記載の伝送装置において、
前記分周器は、前記ＬＲクロック信号がハイレベル（Ｈ）からロウレベル（Ｌ）に変化する時刻に同期して分周比を変更する
伝送装置。
【請求項８】
請求項６又は７に記載の伝送装置において、
前記分周器は、前記シリアルクロック信号がハイレベル（Ｈ）からロウレベル（Ｌ）に変化する時刻に同期して分周比を変更する
伝送装置。
【請求項９】
請求項６乃至８のいずれか一項に記載の伝送装置において、
前記伝送信号生成器は、前記サンプリング周波数情報及び前記チャネル情報に応じて伝送クロックを変更する
伝送装置。
【請求項１０】
請求項６乃至９のいずれか一項に記載の伝送装置において、
前記伝送信号生成器は、前記データ信号を、前記ＬＲクロック信号と前記シリアルクロック信号に同期して伝送し、
前記ＬＲクロック信号は、同期コードに同期してロウレベル（Ｌ）とハイレベル（Ｈ）が変化し、
前記シリアルクロック信号は、オーディオ前記データ信号の各ビットに同期してロウレベル（Ｌ）とハイレベル（Ｈ）が変化する
伝送装置。
【請求項１１】
（ａ）サンプリング周波数に応じてサンプリングされたディジタルオーディオ信号を含むデータ信号、前記データ信号の各ビットの出力時刻に同期してロウレベル（Ｌ）とハイレベル（Ｈ）が変化する第１のクロック信号、及び、前記サンプリング周波数でロウレベル（Ｌ）とハイレベル（Ｈ）が変化する第２のクロック信号、を伝送するステップと、
（ｂ）前記サンプリング周波数の整数倍の周波数のマスタクロック信号を発生するステップと、
（ｃ）前記マスタクロック信号を分周して前記第１のクロック信号を生成するステップと、
（ｄ）前記マスタクロック信号を分周して前記第２のクロック信号を生成するステップと、
（ｅ）前記第２のクロック信号の変化点を検出してタイミング信号を発生するステップと、
（ｆ）前記ディジタルオーディオ信号のチャネル数及び前記サンプリング周波数を含む第１のヘッダ情報を生成するステップと、
（ｇ）前記タイミング信号に応じて、前記第１のヘッダ情報と前記ディジタルオーディオ信号とを合成して前記データ信号を生成すると共に、前記第１のクロック信号及び前記第２のクロック信号を生成する際の前記マスタクロック信号の分周比をそれぞれ設定するステップと
を具備する
シリアル伝送方法。
【請求項１２】
請求項１１に記載のシリアル伝送方法において、
前記（ｃ）ステップは、
（ｃ１）前記第１のクロック信号がハイレベル（Ｈ）からロウレベル（Ｌ）に変化する時刻に同期して前記分周比を変更するステップを具備する
シリアル伝送方法。
【請求項１３】
請求項１１又は１２に記載のシリアル伝送方法において、
前記（ａ）ステップは、
（ａ１）前記データ信号を、前記第１のクロック信号と前記第２のクロック信号に同期して伝送するステップと、
（ａ２）前記第１のクロック信号は、同期コードに同期してロウレベル（Ｌ）とハイレベル（Ｈ）が変化するステップと、
（ａ３）前記第２のクロック信号は、オーディオ前記データ信号の各ビットに同期してロウレベル（Ｌ）とハイレベル（Ｈ）が変化するステップと
を具備する
シリアル伝送方法。
【請求項１４】
請求項１１乃至１３のいずれか一項に記載のシリアル伝送方法において、
前記（ｇ）ステップは、
（ｇ１）前記チャネル数及び前記サンプリング周波数に応じて伝送クロックを変更するステップを具備する
シリアル伝送方法。
【請求項１５】
請求項１１乃至１４のいずれか一項に記載のシリアル伝送方法において、
（ｈ）前記第１のシリアルインタフェース回路から前記データ信号、前記第１のクロック信号、及び前記第２のクロック信号を受信するステップと、
（ｉ）前記データ信号、前記第１のクロック信号、及び前記第２のクロック信号を取得し、オーディオデータ及び前記オーディオデータに対応する付帯情報を発生するステップと、
（ｊ）前記付帯情報を取得し、第２のヘッダ情報及びサンプリング周波数情報を発生するステップと、
（ｋ）前記第１のクロック信号、前記第２のクロック信号、及び前記サンプリング周波数情報を取得し、分周クロックを発生するステップと
を具備する
シリアル伝送方法。
【発明の詳細な説明】
【技術分野】
【０００１】
本発明は、シリアル伝送システムに関し、特にディジタルオーディオ信号をシリアル伝送路を介して伝送するシリアル伝送システムに関する。
【背景技術】
【０００２】
近年ディジタルオーディオ技術は長足の進歩を示し、一般家庭にもＤＶＤ（Ｄｉｇｉｔａｌ  Ｖｅｒｓａｔｉｌｅ  Ｄｉｓｃ）  Ｖｉｄｅｏなどの、いわゆるマルチメディア機器が普及する様になった。その応用では、従来の２チャネルステレオ音声よりチャネルの多い（以下、「マルチチャネル」と記す）オーディオ信号が扱われる様になった。それに伴い、オーディオ信号の伝送線が増加し、ＬＳＩの端子増加や基板上の配線数増加が起きている。例えば、一般的なシリアル伝送であれば、伝送クロック、２チャネルステレオ音声信号の左右チャネルを識別するＬＲクロック、データの計３信号で２チャネルの音声を伝送する。この方式で６チャネルオーディオ信号を伝送するためには、データ信号を２本追加し、計５本の配線を必要とする。
【０００３】
また、ＤＶＤやＣＤ（Ｃｏｍｐａｃｔ  Ｄｉｓｃ）などのメディアの種類の増加やディジタル放送の普及に伴い、オーディオ信号のサンプリング周波数も複数存在する様になったが、このことは、サンプリング周波数が変化した時に、長い無音期間やサンプリング周波数の変化後の出音を一部消音してしまう原因となっていた。
【０００４】
ＤＶＤ  Ｖｉｄｅｏで使用される４８ｋＨｚと、ＣＤで使用される４４．１ｋＨｚは、共に主要なサンプリング周波数であり、既存のオーディオ信号の多くが、この２つを採用している。
【０００５】
従って、例えば、サンプリング周波数４８ｋＨｚのオーディオ信号を伝送した後に、同じ伝送路を用いてサンプリング周波数４４．１ｋＨｚのオーディオ信号を伝送する必要がある。
【０００６】
この場合、サンプリング周波数４８ｋＨｚの伝送を一旦終了し、送信装置、受信装置、伝送路を初期化してサンプリング周波数４４．１ｋＨｚの設定に変更し、その後、サンプリング周波数４４．１ｋＨｚの伝送を開始する必要がある。そのため、伝送の終了から次の伝送の開始までは、オーディオ信号を伝送することができないため無音となってしまう。また、ディジタル放送ではサンプリング周波数４８ｋＨｚと３２ｋＨｚが主に使用されているが、例えば、サンプリング周波数４８ｋＨｚのオーディオ信号からサンプリング周波数３２ｋＨｚへ変化した場合に、送信装置、受信装置、伝送路を初期化してサンプリング周波数３２ｋＨｚのオーディオ信号を伝送すると、サンプリング周波数３２ｋＨｚのオーディオ信号の先頭は、伝送路の初期化に時間がかかるため、出音時刻に間に合わず出音できないことがある。
【０００７】
従来技術として、特開２００４−１４７０４７号公報（特許文献１）に、マルチチャネルオーディオ信号を伝送するシリアル伝送装置が開示されている。
特許文献１に開示されているオーディオデータ伝送システムは、複数チャネルのオーディオデータを受信し、受信した前記オーディオデータを前記チャネル毎にシリアル出力するオーディオ処理チップと、前記オーディオ処理チップから伝送される前記オーディオデータを信号処理するプロセッサとを備える。前記オーディオ処理チップは、前記プロセッサに伝送するオーディオデータのチャネル番号に応じて、所定の長さの第１論理レベルを有する前記同期信号を生成する同期信号生成部を備える。前記プロセッサは、前記同期信号生成部から出力される前記同期信号が前記第１論理レベルに保持されている長さを測定し、前記オーディオデータのチャネル番号を判定するチャネル判定部を備えていることを特徴とする。
【０００８】
図１は、従来技術における送信装置、シリアル伝送路及び受信装置の動作を示すタイミング図である。
ＣＬＫ５−１００は動作クロック信号、ＳＹＮＣ５−１０１はＤＡＴＡ５−１０２のデータ入出力時刻を示す同期タイミングと選択チャネルを示す信号、ＤＡＴＡ５−１０２はデータ線である。図１に示されるように、送信装置は（ａ）のタイミングからチャネル番号をＳＹＮＣ５−１０１のパルス幅に反映させる。すなわちチャネル１のデータ送出時のＳＹＮＣ５−１０１は１クロック、チャネル４であれば４クロックのパルス幅となることが示される。受信装置はＳＹＮＣ５−１０１を認識してチャネル番号を同定させた後、（ｂ）のタイミングからＤＡＴＡ５−１０２を受信する。
【０００９】
この構成によれば、ＳＹＮＣ５−１０１のパルス幅の選択肢を増やすことでデータのチャネル数を増やすことができ、伝送線はＣＬＫ５−１００、ＳＹＮＣ５−１０１、ＤＡＴＡ５−１０２の３本から増やす必要はなく、配線数増加の問題を解決することができる。しかしながら、サンプリング周波数を伝送する手段がなく、送信装置、受信装置間であらかじめ定めた固定周波数のオーディオデータを伝送する事しかできない。すなわちサンプリング周波数が異なるオーディオ信号の伝送において無音期間が生じ、画像と音声との同期関係がずれたりしてしまう欠点を解消することはできない。
【００１０】
【特許文献１】特開２００４−１４７０４７号公報
【発明の開示】
【発明が解決しようとする課題】
【００１１】
従来は、ディジタルオーディオ信号の重要な属性であるサンプリング周波数を、マルチチャネルオーディオ信号と同時に伝送するシリアル伝送は無かった。その結果、長い無音期間や出音時刻に間に合わない現象が生じていた。
【課題を解決するための手段】
【００１２】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１３】
サンプリング周波数の情報（１−２００）に基づいてマルチチャネルのディジタルオーディオ信号（１−２０３）を生成し、前記サンプリング周波数の情報（１−２００）を前記ディジタルオーディオ信号（１−２０３）と共にシリアル伝送する伝送信号生成器（１３）と、
前記サンプリング周波数の情報（１−２００）及び前記ディジタルオーディオ信号（１−２０３）を前記伝送信号生成器（１３）からシリアル受信し、前記サンプリング周波数の情報（１−２００）に基づいて伝送クロックの変化を検出する伝送信号受信器（２１）と
を具備する
シリアル伝送システム。
【００１４】
本発明のシリアル伝送システムでは、データに、オーディオデータの属性であるサンプリング周波数と伝送チャネル数を含み、そのサンプリング周波数と伝送チャネル数に応じて伝送クロックを変化させる。このことにより、信号線を増加させることなくマルチチャネルオーディオ信号を伝送し、且つサンプリング周波数が変更される前後に無音期間を生じない伝送を実現する。
【発明の効果】
【００１５】
第一の効果として、伝送線を増やさずにマルチチャネル信号を伝送する事が可能となる。その理由は、複数チャネルのオーディオ信号を合成し、伝送するためである。
第二の効果として、オーディオ信号のサンプリング周波数の切り替えを行う際に、無音期間を発生することなく、切れ目なく伝送する事が可能となる。その理由は、従来伝送されていなかったサンプリング周波数の情報を、本発明ではオーディオ信号と合成して伝送を行い、受信装置が、オーディオ信号のサンプリング周波数を正しく適用して出音するためである。
【発明を実施するための最良の形態】
【００１６】
以下に本発明の第１実施形態について添付図面を参照して説明する。
図２は本発明のブロック図を示す。
本発明のディジタルオーディオ信号シリアル伝送システムは、送信装置１０と、受信装置２０とを有する。
【００１７】
送信装置１０は、クロック発生器１１と、分周器１２と、伝送信号生成器１３と、ヘッダ情報生成器１４と、符号バッファ１５とを備える。
クロック発生器１１は、クロック信号１−１０４を発生する。分周器１２は、サンプリング周波数情報１−２００に従ってクロック信号１−１０４を分周し、オーディオクロック１−１０３を発生する。また、分周器１２は、ＬＲクロック１−１００がハイレベル（Ｈ）からロウレベル（Ｌ）に変化する時刻に同期して分周比を変更する。伝送信号生成器１３は、符号バッファ１５からオーディオデータ１−２０３を、ヘッダ情報生成器１４からヘッダ１−２０２を、分周器１２からオーディオクロック１−１０３を、それぞれ取得し、ＬＲクロック１−１００、シリアルクロック１−１０１、データ１−１０２を発生する。ヘッダ情報生成器１４は、符号バッファ１５からサンプリング周波数情報１−２００と、チャネル情報１−２０１、ステータス１−２０４を取得し、ヘッダ１−２０２を発生する。符号バッファ１５は、サンプリング周波数情報１−２００、チャネル情報１−２０１、オーディオデータ１−２０３、ステータス１−２０４を提供する。
【００１８】
受信装置２０は、伝送信号受信器２１と、ヘッダデコーダ２２と、分周器２３とを備える。
伝送信号受信器２１は、ＬＲクロック１−１００、シリアルクロック１−１０１、データ１−１０２を取得し、オーディオデータ１−３０１、ヘッダ１−３０２を発生する。ヘッダデコーダ２２は、ヘッダ１−３０２を取得し、ヘッダ情報１−３０３、サンプリング周波数情報１−３０４を発生する。分周器２３は、ＬＲクロック１−１００、シリアルクロック１−１０１、サンプリング周波数情報１−３０４を取得し、分周クロック１−３０５を発生する。なお、図２に示す受信装置２０の内部回路２４は、オーディオデータ１−３０１、ヘッダ情報１−３０３、分周クロック１−３０５を取得する。
【００１９】
図３は本発明の伝送波形である。
データ１−１０２は、ＬＲクロック１−１００とシリアルクロック１−１０１に同期して伝送される。ＬＲクロック１−１００は同期コードに同期してロウレベル（Ｌ）とハイレベル（Ｈ）が変化し、シリアルクロック１−１０１はオーディオデータ１−１０２の各ビットに同期してロウレベル（Ｌ）とハイレベル（Ｈ）が変化する。
【００２０】
図４は本発明の伝送方法を示すタイミング図である。
本実施例では、８チャネルオーディオデータの伝送を用いる。時刻１においてヘッダ１−２０２の一部と、オーディオデータ１−２０３のうち、チャネル１のオーディオデータを伝送する。ここでヘッダは、同期コードとチャネル数、ステータスの一部を含んでいる。
【００２１】
時刻２、時刻３、時刻４では、オーディオデータ１−２０３のうち、それぞれチャネル２、チャネル３、チャネル４のオーディオデータを伝送する。
【００２２】
時刻５では、ＬＲクロック１−１００がロウレベル（Ｌ）からハイレベル（Ｈ）へ変化すると共に、ヘッダ１−２０２の一部と、オーディオデータ１−２０３のうち、チャネル５のオーディオデータを伝送する。ここでヘッダは、同期コードとサンプリング周波数情報、ステータスの一部を含んでいる。
【００２３】
時刻６、時刻７、時刻８では、オーディオデータ１−２０３のうち、それぞれチャネル６、チャネル７、チャネル８のオーディオデータを伝送する。
【００２４】
時刻１と時刻５で伝送したヘッダは、ＬＲクロック１−１００の１周期の間に伝送されるオーディオデータに対応する付帯情報である。
【００２５】
次に、時刻９以降は、時刻１から時刻８に伝送したオーディオデータの次に伝送すべきデータを伝送する。
【００２６】
時刻９において、ＬＲクロック１−１００がハイレベル（Ｈ）からロウレベル（Ｌ）へ変化すると共に、ヘッダ１−２０２の一部と、オーディオデータ１−２０３のうちチャネル１のオーディオデータを伝送する。ここでヘッダは、同期コードとチャネル数、ステータスの一部を含んでいる。ヘッダデコーダ１−３０２は、時刻１で伝送したチャネル数と時刻９で伝送したチャネル数が異なる場合、時刻９において分周器２３と内部回路２４へチャネル数が変化した事と、変化後のチャネル数を伝送する。
【００２７】
時刻１０、時刻１１、時刻１２では、オーディオデータ１−２０３のうち、それぞれチャネル２、チャネル３、チャネル４のオーディオデータを伝送する。
【００２８】
時刻１３ではＬＲクロック１−１００がロウレベル（Ｌ）からハイレベル（Ｈ）へ変化すると共に、ヘッダ１−２０２の一部と、オーディオデータ１−２０３のうち、チャネル５のオーディオデータを伝送する。ここでヘッダは、同期コードとサンプリング周波数情報、ステータスの一部を含んでいる。
【００２９】
ヘッダデコーダ１−３０２は時刻５で伝送したサンプリング周波数情報と時刻１３で伝送したサンプリング周波数情報が異なる場合、時刻１３において分周期１−１１と内部回路２４へサンプリング周波数が変化した事と、変化後のサンプリング周波数情報を伝送する。
【００３０】
サンプリング周波数とチャネル数の動的切り替え方法に関して、以下に実施例を示す。
図５は、本実施例の伝送方法を示すタイミング図である。以下、図５を参照して説明する。
【００３１】
本実施例では、サンプリング周波数４８ｋＨｚの８チャネルオーディオデータを伝送し、次にサンプリング周波数９６ｋＨｚの２チャネルオーディオデータを伝送する。
【００３２】
本発明ではオーディオデータの構成を示す情報を、ヘッダとしてオーディオデータと共に伝送する。ヘッダは、１ｂｉｔの同期コード、３ｂｉｔのチャネル数、２ｂｉｔのサンプリング周波数、９ｂｉｔのステータスからなる。ヘッダ要因とそれに対するビット数、要因毎の値が指し示す意味を表１に示す。ステータスは、オーディオデータに付帯するその他の情報を付加するための領域で、本実施例では９ビットのゼロ（０００００００００）が伝送される。
【００３３】
【表１】
2008005193.tif 000003
【００３４】
ヘッダは合計１６ｂｉｔであり、時刻１と時刻５でそれぞれ８ｂｉｔずつが伝送される。オーディオデータは２４ｂｉｔであり、時刻１と時刻５では、それぞれ合計３２ｂｉｔずつ伝送される。その他の時刻ではオーディオデータだけなので２４ｂｉｔが伝送される。
【００３５】
また、本実施例はサンプリング周波数４８ｋＨｚと９６ｋＨｚのオーディオデータを伝送するため、クロック発生器１１へ入力するクロックのクロック周波数を４９．１５２ＭＨｚ固定とする。サンプリング周波数とチャネル数によるクロック発生器１１での分周比を表２に示す。この分周比は、１時刻に最大３２ｂｉｔが伝送されることに対応して設計されている。
【００３６】
【表２】
2008005193.tif 000004
【００３７】
次に動作を説明する。
送信装置１０は、時刻１から時刻８のタイミングでサンプリング周波数４８ｋＨｚの８ｃｈオーディオデータを伝送する。
【００３８】
この時表２から、クロック発生器１１での分周比は４が選択されており、シリアルクロック４−１０１の周波数は４９．１５２ＭＨｚの４分の１すなわち１２．２８８ＭＨｚである。
【００３９】
ここで各時刻の間隔は４８ｋＨｚの８分の１周期分であるから、各時刻に転送されるシリアルデータのビット数は、
１２２８８／４８／８＝３２
となり、１時刻に３２ｂｉｔが転送されることが分かる。
【００４０】
なお、本実施例においては、時刻１と時刻５ではそれぞれ３２ｂｉｔずつ伝送されるが、その他の時刻ではオーディオデータだけなので２４ｂｉｔが伝送されれば良い。残りの８ｂｉｔは何も伝送しない。この８ｂｉｔは一般に「０」で詰められる。ここでは、オーディオデータと共にサンプリング周波数等の属性情報を同時に送信する場合にも対応可能とするため、３２ｂｉｔ分を伝送できるようにしている。
【００４１】
この時、オーディオデータの分割が可能であれば、２４ｂｉｔのオーディオデータを３分割して８ｂｉｔの分割データを３個作成し、その他の時刻（時刻２，３，４）では、それぞれオーディオデータ（２４ｂｉｔ）＋分割データ（８ｂｉｔ）を伝送するようにしても良い。或いは、２４ｂｉｔのオーディオデータ１個につき８ｂｉｔの分割データを３個ずつ作成し、その他の時刻ではそれぞれ分割データ（８ｂｉｔ）を４個ずつ（８ｂｉｔ×４＝３２ｂｉｔ）伝送するようにすることが考えられる。
【００４２】
また、その他の時刻は、クロック周波数を変更して２４ｂｉｔしか伝送できないようにしても良い。すなわち、１サンプル時間の中でクロック周波数を切り替え、オーディオデータだけの時は２４ｂｉｔだけが伝送できる周波数に変更し、付加情報も一緒に送る時は３２ｂｉｔが伝送できる周波数に変更するようにする。
【００４３】
その後、送信装置１０は、時刻９以降にサンプリング周波数９６ｋＨｚの２チャネルオーディオデータを伝送する。
【００４４】
ＬＲクロック４−１００は、サンプリング周波数が変化するため、ＬＲクロック４−１００がハイレベル（Ｈ）からロウレベル（Ｌ）に変化する時刻９に、ＬＲクロック４−１００の周波数が４８ｋＨｚから９６ｋＨｚに変化する。
【００４５】
分周器１−２の分周比は、サンプリング周波数とチャネル数が変化するため時刻９のタイミングで４分周から８分周へ変化する。
【００４６】
その結果、シリアルクロック４−１０１は時刻９のタイミングで１２．２８８ＭＨｚから６．１４４ＭＨｚへ変化する。
【００４７】
前述と同様に計算すると、６．１４４ＭＨｚのシリアルクロックでは、９６ｋＨｚの２分の１周期分の時間でやはり３２ｂｉｔが転送されることが分かる。
【００４８】
また、時刻９、１０で伝送されるヘッダは、チャネル数が”００１”、サンプリング周波数が”１１”となる。
【００４９】
受信装置２０は、時刻１と時刻５で伝送されるヘッダの要因であるチャネル数とサンプリング周波数をそれぞれ”１１１”、”００”と検出し、チャネル数は８、サンプリング周波数は４８ｋＨｚと認識する。
【００５０】
従って、時刻１から時刻８の間に送信装置１０から伝送されたオーディオデータを、サンプリング周波数４８ｋＨｚ、８チャネルのオーディオ信号として受信する。
【００５１】
その後、時刻９のタイミングで取得したチャネル数、時刻１０のタイミングで取得したサンプリング周波数から、伝送されるオーディオデータが、サンプリング周波数４８ｋＨｚの８ｃｈからサンプリング周波数９６ｋＨｚの２ｃｈへ変化した事を検出し、そのタイミング以降に伝送されるオーディオデータをサンプリング周波数９６ｋＨｚの２ｃｈとして受信する。サンプリング周波数、チャネル数が変更される時刻９の前後において、送信機、受信機、伝送路をいずれも停止する必要はなく、途切れることなくオーディオデータを伝送できる。
【００５２】
以上に説明したように、本発明においては、伝送線の数を増やすことなく複数チャネルのオーディオデータを伝送することができる。
【００５３】
また、サンプリング周波数やチャネル数が変化する前後において伝送を中断することがないため、無音期間が生じたり、画像と音声との同期関係がずれたりする従来の欠点を解消することができる。
【００５４】
以下に本発明の第２実施形態について説明する。
本発明の第１実施形態では、ＬＲクロック１−１００は、時刻１でハイレベル（Ｈ）からロウレベル（Ｌ）へ変化し、時刻５でロウレベル（Ｌ）からハイレベル（Ｈ）へ変化しているが、本発明の第２実施形態として、時刻１でロウレベル（Ｌ）からハイレベル（Ｈ）へ変化し、時刻５でハイレベル（Ｈ）からロウレベル（Ｌ）へ変化する伝送方法でも良い。
【００５５】
また、シリアルクロック１−１０１はオーディオデータの各ビットに同期する時刻でハイレベル（Ｈ）からロウレベル（Ｌ）へ変化しているが、ロウレベル（Ｌ）からハイレベル（Ｈ）へ変化する伝送方法でも良い。
【００５６】
なお、本発明の活用例として、ＤＶＤレコーダやディジタル符号入力が可能なテレビ等の音声録画再生装置が挙げられる。
【００５７】
以上のように、本発明のディジタルオーディオ信号シリアル伝送システムは、データ信号と、第１のクロック信号と、第２のクロック信号とを伝送するシリアルインタフェース回路を有する。データ信号は、所定のサンプリング周波数でサンプリングされたディジタルオーディオ信号を含む。第１のクロック信号は、データ信号の各ビットの出力時刻に同期してロウレベル（Ｌ）とハイレベル（Ｈ）が変化する。第２のクロック信号は、第１のクロック信号とサンプリング周波数でロウレベル（Ｌ）とハイレベル（Ｈ）が変化する。
【００５８】
また、このディジタルオーディオ信号シリアル伝送システムは、第１の分周器と、変化点検出器と、ヘッダ情報生成器と、伝送信号生成器とを有することを特徴とする。第１の分周器は、サンプリング周波数の整数倍の周波数のマスタクロック信号を発生するマスタクロック発生回路とマスタクロック信号を分周して第１のクロック信号を生成する。第２の分周器は、マスタクロック信号を分周して第２のクロック信号を生成する。変化点検出器は、第２のクロック信号の変化点を検出して第１のタイミング信号を発生する。ヘッダ情報生成器は、少なくともディジタルオーディオ信号のチャネル数とサンプリング周波数とを含むヘッダ情報を生成する。伝送信号生成器は、第１のタイミング信号に応じて、ヘッダ情報とディジタルオーディオ信号とを合成してデータ信号を生成すると共に、第１及び第２の分周器の分周比をそれぞれ設定する。
【図面の簡単な説明】
【００５９】
【図１】図１は、従来技術で用いる送信装置、シリアル伝送路及び受信装置の動作を示すタイミング図である。
【図２】図２は、本発明のブロック図である。
【図３】図３は、本発明の伝送波形である。
【図４】図４は、本発明の伝送方法を示すタイミング図である。
【図５】図５は、本発明の実施例で用いる伝送方法を示すタイミング図である。
【符号の説明】
【００６０】
１０…  伝送システムの送信回路全体
１１…  送信側のクロック発生器
１２…  送信側の分周器
１３…  送信側の伝送信号を生成する回路（伝送信号生成器）
１４…  伝送するヘッダ情報を生成する回路（ヘッダ情報生成器）
１５…  オーディオデータを格納しているバッファ（符号バッファ）
２０…  伝送システムの受信回路全体
２１…  受信側の伝送信号を受信する回路（伝送信号生成器）
２２…  受信したヘッダ情報をデコードして後段へ伝送する回路（ヘッダデコーダ）
２３…  受信したクロックを分周して後段へ伝送する回路（分周器）
２４…  伝送システムの受信部からオーディオデータを受け取る後段回路（内部回路）
１−１００…  伝送するＬＲクロック
１−１０１…  伝送するシリアルクロック
１−１０２…  伝送するデータ
１−１０３…  分周器へフィードバックを行うＬＲクロック
１−２００…  伝送するデータのサンプリング周波数情報
１−２０１…  伝送するデータのチャネル数情報
１−２０２…  伝送するデータのヘッダ
１−２０３…  伝送するデータのオーディオデータ
１−２０４…  伝送するデータのステータス情報
１−３０１…  受信したオーディオデータ
１−３０２…  受信したヘッダ
１−３０３…  受信したチャネル数情報、サンプリング周波数情報、ステータス情報
１−３０４…  受信したサンプリング周波数情報、ステータス情報
１−３０５…  受信したＬＲクロックとシリアルクロックを分周した信号
３−１００…  ヘッダ付きチャネルの構造
３−１０１…  ヘッダ構造
３−３００…  時刻１において伝送するヘッダ
３−３０１…  時刻１において伝送するオーディオデータ
３−３０２…  時刻５において伝送するヘッダ
３−３０３…  時刻５において伝送するオーディオデータ
４−１００…  実施例にて伝送するＬＲクロック
４−１０１…  実施例にて伝送するシリアルクロック
４−１０２…  実施例にて伝送するデータ
４−１０３…  実施例にて伝送するデータにおけるヘッダ付きチャネルの構造
４−１０４…  実施例にて伝送するデータにおけるヘッダ構造
４−１０５…  実施例にて伝送するデータにおけるヘッダの値
５−１００…  従来例１での動作クロック信号
５−１０１…  従来例１でのデータ入出力時刻を示す同期タイミングと選択チャネルを示す信号
５−１０２…  従来例１でのデータ線
【図１】
2008005193.tif 000005
【図２】
2008005193.tif 000006
【図３】
2008005193.tif 000007
【図４】
2008005193.tif 000008
【図５】
2008005193.tif 000009